(57)【要約】【課題】  異なるデータ通信方式の画像形成装置と周辺装置との通信接続を可能にする。【解決手段】  ＦＩＵ７は、ＩＯＴ３からＤＦＡ６に対してシリアル通信方式で送信されてくる要求コマンドを受信すると、その要求コマンドへの応答コマンドをシリアル通信方式に従って生成し、ＩＯＴ３に送信する。これにより、互いにデータ通信方式の異なったＩＯＴ３と後処理装置とが擬似的に通信接続することができる。より具体的には、ＦＩＵ７は、パラレル通信方式のデバイスであるＤＦＡ６が接続されたことを検知すると、あたかもシリアル通信方式のデバイスがＩＯＴ３に接続されたかの如く、ＤＦＡ６が接続されている状態を表す接続情報やデバイスＩＤや処理能力等を含むＤＦＡ６の装置情報を擬似的に作成して、これをシリアル通信方式のデータとしてＩＯＴ３のコントローラ３１に送信する。【選択図】      図１
2006350961.tif 000002
【特許請求の範囲】
【請求項１】
記録材に画像を形成する画像形成装置と、
前記画像形成装置とは異なるデータ通信方式でデータを送受信する周辺装置と、
前記画像形成装置と前記周辺装置とに接続され、前記画像形成装置から前記周辺装置に対して所定のデータ通信方式で送信されてくる要求を受信すると、その要求への応答を前記画像形成装置の所定のデータ通信方式に従って生成し、前記画像形成装置に送信する変換モジュール装置と
を備えることを特徴とする画像形成システム。
【請求項２】
前記画像形成装置はシリアル通信方式で通信を行い、前記周辺装置はパラレル通信方式で通信を行う請求項１記載の画像形成システム。
【請求項３】
前記周辺装置は、画像が形成された後の記録紙に対して所定の処理を行う後処理装置であることを特徴とする請求項１記載の画像形成システム。
【請求項４】
前記変換モジュール装置は、
前記画像形成装置の所定のデータ通信方式とは異なるデータ通信方式の周辺装置が接続されていることを検知する検知手段と、
前記周辺装置が接続されている状態を表す接続情報又は当該周辺装置の処理能力を表す装置情報を、前記画像形成装置の所定のデータ通信方式に従って生成する生成手段と、
生成した接続情報又は装置情報を前記画像形成装置に送信する送信手段と
を備えることを特徴とする請求項１記載の画像形成システム。
【請求項５】
前記画像形成装置が、
パラレル通信方式でデータ通信を行う複数の周辺装置の処理の制約を表す制約条件をそれぞれ記憶しておく制約条件記憶手段と、
前記画像形成装置に接続された上位のモジュール装置によって、ジョブにおいて使用すべき制約条件が選択されると、ジョブの開始時において、当該ジョブの内容と選択された制約条件とを比較し、その比較の結果、前記ジョブが実行不能な場合は前記画像形成装置におけるジョブの設定動作又は画像形成動作を禁止する禁止手段と
を備えることを特徴とする請求項２記載の画像形成システム。
【請求項６】
前記画像形成装置が、
パラレル通信方式でデータ通信を行う後処理装置において記録材の排出先又は後処理の内容を切り換えるのに要する時間を記憶する所要時間記憶手段と、
記録材の排出先又は後処理の内容を切り換える場合は、前記所要時間記憶手段に記憶された時間分だけ記録材の排出間隔が空くように記録材の搬送を制御する制御手段と
を備えることを特徴とする請求項１記載の画像形成システム。
【請求項７】
前記制御手段は、シリアル通信方式に従ったデータをパラレル通信方式に従ったデータに変換する際の信号のアクティブ時間を記録材の長さから算出し、記録材の搬送ピッチによって記録材の排出間隔が空くように制御することを特徴とする請求項６記載の画像形成システム。
【請求項８】
画像形成装置の所定のデータ通信方式とは異なるデータ通信方式の周辺装置が接続されていることを検知する検知手段と、
前記周辺装置が接続されている状態を表す接続情報又は当該周辺装置の処理能力を表す装置情報を、前記画像形成装置の所定のデータ通信方式に従って生成する生成手段と、
生成した接続情報又は装置情報を前記画像形成装置に送信する送信手段と
を備えることを特徴とする変換モジュール装置。
【発明の詳細な説明】
【技術分野】
【０００１】
本発明は、複数の装置からなる画像形成システムにおいて処理を実行するための技術に関する。
【背景技術】
【０００２】
プリンタや複写機等の画像形成装置によって記録紙に画像が形成された後に行われる処理は、一般に「後処理」と総称される。その具体的な処理の内容は、記録紙をステイプルで留めたり、複数の排紙トレイのうち指定した排紙トレイに排出したり、排紙トレイにおける排出位置をオフセットさせたり、といった所定の処理であり、ユーザは画像形成ジョブ単位でこれらの後処理の種類を指定することができる。例えば特許文献１には、画像形成装置と後処理装置とを通信手段で結び、互いにデータを遣り取りすることで、多様な後処理を実施可能な画像形成システムが提案されている。また、特許文献２には、画像形成装置本体と各種の後処理装置とがどのような接続状態であるかを判断する技術が提案されている。この技術によれば、複数の後処理装置が画像形成装置から見てどのような順序でいくつ接続されているかを判断することができる。
【０００３】
【特許文献１】特開２００２−３１１６５９号公報
【特許文献２】特開２００２−１３９９６６号公報
【発明の開示】
【発明が解決しようとする課題】
【０００４】
画像形成装置と後処理装置との間のデータ通信方式としては、以前はパラレル通信方式が一般的であったが、その後はシリアル通信方式に移行し、さらに近年では複数装置間での高速通信が可能なCAN（Controller Area Network）と呼ばれる多ノードのシリアル通信へと変化してきた。このような経緯により、多様なデータ通信方式の画像形成装置及び後処理装置が存在するものの、相互の通信互換性がないために特定の画像形成装置には特定の後処理装置しか接続ができないといった問題があった。
【０００５】
本発明はこのような背景に鑑みてなされたものであり、その目的は、異なるデータ通信方式の画像形成装置と、後処理装置等の周辺装置との間で処理を実行可能にすることにある。
【課題を解決するための手段】
【０００６】
上記課題を解決するため、本発明は、記録材に画像を形成する画像形成装置と、前記画像形成装置とは異なるデータ通信方式でデータを送受信する周辺装置と、前記画像形成装置と前記周辺装置とに接続され、前記画像形成装置から前記周辺装置に対して所定のデータ通信方式で送信されてくる要求を受信すると、その要求への応答を前記画像形成装置の所定のデータ通信方式に従って生成し、前記画像形成装置に送信する変換モジュール装置とを備えることを特徴とする。
【０００７】
上記画像形成システムにおいて、前記画像形成装置はシリアル通信方式で通信を行い、前記周辺装置はパラレル通信方式で通信を行うようにしてもよい。
【０００８】
前記周辺装置は、画像が形成された後の記録紙に対して所定の処理を行う後処理装置であることが望ましい。
【０００９】
また、上記発明において、前記変換モジュール装置は、前記画像形成装置の所定のデータ通信方式とは異なるデータ通信方式の周辺装置が接続されていることを検知する検知手段と、前記周辺装置が接続されている状態を表す接続情報又は当該周辺装置の処理能力を表す装置情報を、前記画像形成装置の所定のデータ通信方式に従って生成する生成手段と、生成した接続情報又は装置情報を前記画像形成装置に送信する送信手段とを備えるようにしてもよい。
【００１０】
また、前記画像形成装置が、パラレル通信方式でデータ通信を行う複数の周辺装置の処理の制約を表す制約条件をそれぞれ記憶しておく制約条件記憶手段と、前記画像形成装置に接続された上位のモジュール装置によって、ジョブにおいて使用すべき制約条件が選択されると、ジョブの開始時において、当該ジョブの内容と選択された制約条件とを比較し、その比較の結果、前記ジョブが実行不能な場合は前記画像形成装置におけるジョブの設定動作又は画像形成動作を禁止する禁止手段とを備えるようにしてもよい。
【００１１】
また、前記画像形成装置が、パラレル通信方式でデータ通信を行う後処理装置において記録材の排出先又は後処理の内容を切り換えるのに要する時間を記憶する所要時間記憶手段と、記録材の排出先又は後処理の内容を切り換える場合は、前記所要時間記憶手段に記憶された時間分だけ記録材の排出間隔が空くように記録材の搬送を制御する制御手段とを備えるようにしてもよい。
【００１２】
前記制御手段は、シリアル通信方式に従ったデータをパラレル通信方式に従ったデータに変換する際の信号のアクティブ時間を、記録材の長さから算出し、記録材の搬送ピッチによって記録材の排出間隔が空くように搬送制御を行うようにしてもよい。
【００１３】
また、本発明は、画像形成装置のデータ通信方式とは異なるデータ通信方式の周辺装置が接続されていることを検知する検知手段と、前記周辺装置が接続されている状態に関する接続情報又は当該周辺装置自身の属性に関する装置情報を、前記画像形成装置のデータ通信方式に従って生成する生成手段と、生成した接続情報又は装置情報を前記画像形成装置に送信する送信手段とを備えることを特徴とする。
【発明を実施するための最良の形態】
【００１４】
本発明を実施するための最良の形態について説明する。
（１）構成
図１は、実施形態における画像形成システム１００の一構成例を示す図である。図１に示すように、この画像形成システム１００においては、パーソナルコンピュータ等の複数のクライアント端末１ａ、１ｂがネットワーク２を介して画像形成装置（Ｉｍａｇｅ Ｏｕｔｐｕｔ Ｔｅｒｍｉｎａｌ：以下、単にＩＯＴと称す）３と接続されている。さらに、このＩＯＴ３には、給紙装置（Ｈｉｇｈ Ｃａｐａｓｉｔｙ Ｆｅｅｄｅｒ：以下、単にＨＣＦと称す）４と、第１の後処理装置（Ｈｉｇｈ Ｃａｐａｓｉｔｙ Ｓｔａｃｋｅｒ：以下、単にＨＣＳと称す）５と、第２の後処理装置（Ｄｏｃｕｍｅｎｔ Ｆｉｎｉｓｈｉｎｇ Ａｒｃｈｔｅｃｔｕｒｅ Ｄｅｖｉｃｅ：以下、単にＤＦＡと称す）６が接続されている。ＨＣＳ５はシリアル通信方式（例えばRS422／RS488／CANなど）でデータ通信を行う周辺装置であるのに対し、ＤＦＡ６はパラレル通信方式でデータ通信を行う周辺装置である。なお、図１には図示していないが、スキャナ等の画像入力装置（Ｉｍａｇｅ Ｉｎｐｕｔ Ｔｅｒｍｉｎａｌ：以下、単にＩＩＴと称す。）をＩＯＴ３に接続するように構成しても良い。
【００１５】
ＩＯＴ３は、例えば電子写真方式のプリンタや複写機であり、クライアント端末１ａ、１ｂからネットワーク２を介して受信した画像データに基づいて記録紙に画像を形成したり、ＩＩＴによって読み取られた画像データに基づいて記録紙に画像を形成する。このＩＯＴ３は、ＤＦＡ６に代わってＩＯＴ３のコントローラとデータ通信を行う変換モジュール装置（Ｆｉｎｉｓｈｉｎｇ Ｉｎｔｅｒｆａｃｅ Ｕｎｉｔ：以下、単にＦＩＵという）７を備えている。このＦＩＵ７は、ＩＯＴ３に内蔵されていてもよいし、ＩＯＴ３とは別体の装置であってもよい。ＨＣＦ４は、大量枚数の記録紙を蓄積しており、これを１枚ずつＩＯＴ３に供給する。このＨＣＦ４は、ＩＯＴ３から見て記録紙の搬送方向上流側に接続されている。ＨＣＳ５は、ＩＯＴ３の下流側に接続されており、ＩＯＴ３によって画像が形成された記録紙を大量に蓄積する。ＤＦＡ６は、同じくＩＯＴ３の下流側に接続されており、ＩＯＴ３によって画像が形成された記録紙に対してステイプル処理や、記録紙のカット処理或いは折り目処理などを行ってから蓄積する。
【００１６】
次に、図２は、図１の点線ａで囲んだ装置群（ＩＯＴ３、ＨＣＦ４、ＨＣＳ５、ＤＦＡ６）の外観構成を示す図である。図２に示すように、ＩＯＴ３は、ユーザが各種の操作や設定を行うためのタッチパネルとして構成されたユーザインタフェース部３０を備えている。同様に、ＨＣＦ４、ＨＣＳ５、ＤＦＡ６も、タッチパネルとして構成されたユーザインタフェース部４０，５０，６０を備えている。ＨＣＳ５は、筐体上部に設けられた排紙トレイ５０１（以下、トップトレイ５０１という）と、筐体内部に収容された大容量の排紙トレイ５０２（以下、スタックトレイ５０２という）のほか、これらの排紙トレイに記録紙をオフセット排出するための機構（図示略）や、記録紙を筐体の外部（ここではＤＦＡ６）にそのまま排出するためのバイパス搬出路（図示略）を備えている。ＤＦＡ６は、筐体上部に設けられた排紙トレイ６０１（以下、トップトレイ６０１という）や、筐体側面に設けられた排紙トレイ６０２（以下、スタックトレイ６０２という）のほか、これらの排紙トレイに記録紙をオフセット排出するための機構（図示略）や、記録紙をステイプルで留めるためのステイプラ装置（図示略）を備えている。
【００１７】
ここで、図３は、図２に示した装置群の内部構成を表す図である。図３中の一点鎖線は記録紙の搬送路を示している。なお、図３では、ＩＯＴ３の上流側にＨＣＦ４を接続し、下流側にＨＣＳ５とＤＦＡ６を接続した場合を示したが、このほかにも図４に示すような多様な接続形態がある。図４（ａ）は、ＩＯＴ３に給紙装置や後処理装置等の付加装置が一つも接続されていない状態を示している。図４（ｂ）は、ＩＯＴ３の下流側にＨＣＳ５が接続された状態を示している。図４（ｃ）は、ＩＯＴ３の下流側にシリアル通信方式でデータ通信を行うシリアルデバイスである後処理装置８（Ｈｉｇｈ Ｃａｐａｓｉｔｙ Ｓｔａｐｌｅ Ｓｔａｃｋｅｒ：以下、単にＨＣＳＳと称す）が接続された状態を示している。図４（ｄ）は、ＩＯＴ３の上流側にＨＣＦ４が接続され、下流側にＤＦＡ６が接続された状態を示している。図４（ｅ）は、ＩＯＴ３の上流側にＨＣＦ４が接続され、下流側にＨＣＦ４が接続され、下流側にＨＣＳ５およびＨＣＳＳ８が接続された状態を示している。
【００１８】
次に、図５はＩＯＴ３と後処理装置の接続形態を示す図である。図５（ａ）は、ＩＯＴ３にＨＣＳ５が接続された状態を示している。この場合、ＩＯＴ３が備えるＦＩＵ７と、ＨＣＳ５のコントローラ５１とがシリアルインタフェースで接続されている。また、図５（ｂ）は、ＩＯＴ３にＤＦＡ６が接続された状態を示している。この場合、ＦＩＵ７と、ＤＦＡ６のコントローラ６１とがパラレルインタフェースで接続されている。そして、図５（ｃ）は、ＩＯＴ３にＨＣＳ５及びＤＦＡ６が接続された状態を示している。この場合、  ＦＩＵ７とＨＣＳ５のコントローラ５１とがシリアルインタフェースで接続され、ＦＩＵ７とＤＦＡ６のコントローラ６１とがパラレルインタフェースで接続されている。図６は、ＦＩＵ７の回路構成図である。図示のように、ＦＩＵ７を制御するコントローラ７１には、シリアルインタフェース７２とパラレルインタフェース７３とがそれぞれ接続されている。
【００１９】
ＦＩＵ７のコントローラ７１が、ＩＯＴ３からＤＦＡ６に対してシリアル通信方式で送信されてくる要求コマンドを受信すると、その要求コマンドへの応答コマンドをシリアル通信方式に従って生成し、ＩＯＴ３に送信することで、互いにデータ通信方式の異なったＩＯＴ３と後処理装置とが擬似的に通信接続することができるようになっている。具体的には、ＦＩＵ７のコントローラ７１は、パラレル通信方式のデバイスであるＤＦＡ６が接続されたことを検知すると、あたかもシリアル通信方式のデバイスがＩＯＴ３に接続されたかの如く、ＤＦＡ６が接続されている状態を表す接続情報やデバイスＩＤや処理能力等を含むＤＦＡ６の装置情報を擬似的に作成して、これをシリアル通信方式のデータとしてＩＯＴ３のコントローラ３１に送信する。これにより、ＩＯＴ３は接続された後処理装置のデータ通信方式の如何によらずに、これら後処理装置を制御可能となる。また、ＩＯＴのコントローラ３１は、後処理装置がどのような種類の後処理が実行可能であるか或いはどのような種類の後処理が実行できないかを表す情報（本実施形態では、この情報を後処理の制約を表す情報と捉えて「制約条件」と呼ぶ）をそれぞれ記憶しておく。そして、コントローラ３１は、ＩＯＴ３に接続された上位のモジュール装置（例えばクライアント端末１ａ，１ｂ）によって、上記制約条件のうち使用すべき制約条件が選択されると、ジョブの開始時において、当該ジョブの内容と選択された制約条件とを比較し、その比較の結果、ジョブが実行不能な場合はＩＯＴ３におけるジョブの設定動作又は画像形成動作を禁止する。これにより、パラレル通信方式で接続されたＤＦＡ６の詳細な制約条件が設定することができ、ＤＦＡ６を的確に制御することが可能となる。
【００２０】
（２）動作
次に本実施形態の動作について説明する。
図７は、ＩＯＴ３（コントローラ３１）、ＦＩＵ７、ＨＣＳ５及びＤＦＡ６の間で行われる処理手順を示すシーケンス図である。図７において、ＩＯＴ３においてユーザにより電源オンが指示されると、ＩＯＴ３（コントローラ３１）はまず、ＦＩＵ７に対して初期化を指示するイニシャライズコマンドを送出する。次いで、ＩＯＴ３（コントローラ３１）は、ＦＩＵ７に対して接続要求を行うためのConnection Requestコマンドを送出する。これに応じて、ＦＩＵ７は、ＩＯＴ３（コントローラ３１）に対して接続されたことを通知するためのConnectedコマンドを送出する。ＩＯＴ３（コントローラ３１）は、End Of ChainコマンドをＦＩＵ７に送出する。
【００２１】
次に、ＦＩＵ７は、下流側に接続されるＨＣＳ５に対して電源オンを指示するためのハードウェアのシグナル線であるPower enableラインをアクティブ状態とする。この信号を受け取ったＨＣＳ５は、ＦＩＵ７に対して接続要求を行うためのConnection Requestコマンドを送出する。これに応じて、ＦＩＵ７は、ＨＣＳ５に対して接続されたことを通知するためのConnectedメッセージを送出する。このコマンドには、ＦＩＵ７がＨＣＳ５に割り当てたデバイスＩＤ＝８１が含まれており、これにより、ＨＣＳ５は自身のデバイスＩＤを知ることができる。
【００２２】
次いでＦＩＵ７は、ＩＯＴ３のデータ通信方式とは異なるデータ通信方式の周辺装置（ＤＦＡ６）が接続されていることを検知すると、そのＤＦＡ６にデバイスＩＤ＝８２を割り当てる。そして、ＦＩＵ７は、Network AvailableメッセージをＩＯＴ３（コントローラ３１）に送信する。このNetwork Availableメッセージには、ＦＩＵ７がＨＣＳ５に割り当てたデバイスＩＤ＝８１及びＦＩＵ７がＤＦＡ６に割り当てたデバイスＩＤ＝８２（図中の実線Ａで囲んだ部分）が含まれている。これに応じて、ＩＯＴ３は、デバイスＩＤ＝８１，８２のそれぞれの後処理装置に関する情報を要求するInformation Requestコマンドを送出する。ＦＩＵ７は、デバイスＩＤ＝８１の後処理装置（ＨＣＳ５）の情報を要求するInformation RequestコマンドについてはＨＣＳ５に転送し、装置情報を含むDevice InformationをＨＣＳ５から受け取ると、これをＩＯＴ３に送出する。
【００２３】
一方、ＦＩＵ７は、デバイスＩＤ＝８２の後処理装置（ＤＦＡ６）の情報を要求するInformation Requestコマンドを受け取ると、自身が記憶しているＤＦＡ６の装置情報を含むDevice Information（図中の実線Ｂで囲んだ部分）をＩＯＴ３に送出する。ＩＯＴ３は、これらのDevice Informationを受け取ると、ＨＣＳ５に対して初期化を指示するinitializeコマンドを送出する。このinitializeコマンドを受信したＨＣＳ５は、自装置の状態を通知するためのState Information（ここでは、初期化を開始したことを意味するメッセージ）をＩＯＴ３に送出する。ＦＩＵ７はこれを受け取るとＩＯＴ３に転送する。さらに、ＦＩＵ７は、ＤＦＡ６が初期化したことを意味するState Information（図中実線Ｃで囲んだ部分）をＤＦＡに代わってＩＯＴ３に送出する。
【００２４】
次に、ＨＣＳ５は、どのような後処理を実行可能かという制約条件を通知するためのService AvailabilityをＦＩＵ７経由でＩＯＴ３（コントローラ３１）に送出する。例えば、ＨＣＳ５から送出されるService Availabilityの内容としては、トップトレイ排出機能、スタックトレイ排出機能、バイパス排出機能、オフセット排出機能、などのＤＦＡ６が提供可能なサービス（機能）の使用可否の情報である。また、ＤＦＡ６から送出されるService Availabilityの内容としては、トリム（断裁）機能、筋いれ機能、フロントステイプル機能、リアステイプル機能、デュアルステイプル機能、折機能、サンプルトレイ排出機能、スタックトレイ排出機能、オフセット排出機能、などのサービス（機能）の使用可否の情報である。
【００２５】
また、ＦＩＵ７は、ＤＦＡ６がどのような後処理を実行可能かを制約条件として予め記憶しており、これらの制約条件を通知するためのService Availability（図中実線Ｄで囲んだ部分）をＩＯＴ３（コントローラ３１）に送出する。ＩＯＴ３は、これら受信した情報をもとに、図８，９に示すようなジョブの設定画面をユーザインタフェース部３０に表示する。図８（ａ）は、ＩＯＴ３の下流側にＨＣＳ５とＤＦＡ６が接続されている場合の画面の一例を示し、図8（ｂ）は、ＩＯＴ３の下流側にＤＦＡ６のみが接続されている場合の画面の一例を示している。また、図９は、図８（ａ），（ｂ）に示した画面に表示されている「DFA」のボタンアイコンが選択押下された場合にユーザインタフェース部３０に表示される画面の一表示例を示す図である。ユーザはこのような画面を参照しながら、各画像形成ジョブについての後処理の種類を指定することができる。指定された後処理の種類はＩＯＴ３のコントローラ３１のメモリに記憶され、その記憶内容に基づいてジョブが実行される。この際、ＩＯＴのコントローラ３１は、指定されたジョブの内容と指定された制約条件とを比較し、その比較の結果、ジョブが実行不能な場合は、図８，９のようなＩＯＴ３におけるジョブの設定動作又は画像形成動作そのものを禁止すればよい。
【００２６】
以上説明した実施形態によれば、ＦＩＵ７は、後処理装置が接続されている状態に関する接続情報又は当該周辺装置の処理能力に関する装置情報を、ＩＯＴ３のデータ通信方式（シリアル通信方式）に従って生成し、生成した接続情報又は装置情報をＩＯＴ３のコントローラ３１に送信する。これにより、ＩＯＴ３とＤＦＡ６との間でデータ通信方式が異なっていても処理を実行することが可能となる。また、パラレル通信方式で接続されたＤＦＡ６の詳細な制約条件が設定できるのでＤＦＡ６を的確に制御することが可能となる。
【００２７】
（３）変形例
上述した実施形態は次のような変形が可能である。
１つのジョブにおいて記録紙のサイズが異なるような場合には、次のような問題がある。図１０において、時間Ｔは記録紙の搬送ピッチである。このような搬送ピッチでジョブが実行されているときに、より大きいサイズの記録紙に対する画像形成プロセスがあった場合、Sheet Exit Signalがロー（Low）となるアクティブ時間が搬送ピッチＴを超えてしまうケースがあり、都合が悪い。そこで、ＩＯＴ３のコントローラ３１が、パラレル通信方式でデータ通信を行う後処理装置において記録材のサイズ毎の搬送ピッチを記憶しておき、記録材の搬送に関する信号制御するようにしてもよい。具体的には、コントローラ３１は、図１０に示すように、シリアル通信方式に従ったデータをパラレル通信方式に従ったデータに変換する際の信号のアクティブ時間を、記録材の長さから算出し、記録材の搬送ピッチを超えないように強制的にインアクティブ（High状態）とする制御を行う。
【００２８】
また、実施形態においては、画像が形成される記録材の一例として記録紙を挙げて説明したが、これ以外にも、例えばＯＨＰフィルム等のプラスティックや布などの種々の記録材を用いることができる。なお、実施形態で述べた制御部３２によって実行されるプログラムは、磁気テープ、磁気ディスク、フロッピー（登録商標）ディスク、光記録媒体、光磁気記録媒体、ＣＤ（Compact Disk）−ＲＯＭ、ＤＶＤ（Digital Versatile Disk）、ＲＡＭなどの記録媒体に記録した状態で提供し得る。
【図面の簡単な説明】
【００２９】
【図１】本発明の実施形態に係る画像形成システムの構成を示す図である。
【図２】同画像形成システムにおける点線で囲んだ部分の各装置（ＩＯＴ、ＨＣＦ、ＨＣＳ、ＤＦＡ）の外観構成を示す概略図である。
【図３】ＩＯＴ、ＨＣＦ、ＨＣＳ、ＤＦＡの内部構成を示す図である。
【図４】別の画像形成システムの外観構成を示す図である。
【図５】ＩＯＴと、ＨＣＳ又はＤＦＡとの接続形態を示すブロック図である。
【図６】ＦＩＵの回路構成図である。
【図７】ＩＯＴ、ＨＣＦ、ＨＣＳ、ＤＦＡ間の処理手順を示すシーケンス図である。
【図８】ＩＯＴに表示される画面の一表示例を示す図。
【図９】ＩＯＴに表示される画面の一表示例を示す図。
【図１０】記録紙の搬送スケジュールを説明する図である。
【符号の説明】
【００３０】
１００…画像形成システム、１ａ，１ｂ…クライアント端末、２…ネットワーク、３…画像形成装置（ＩＯＴ）、４…給紙装置（ＨＣＦ）、５…後処理装置（ＨＣＳ）、６…後処理装置（ＤＦＡ）、３１・・・コントローラ。
【図１】
2006350961.tif 000003
【図２】
2006350961.tif 000004
【図３】
2006350961.tif 000005
【図４】
2006350961.tif 000006
【図５】
2006350961.tif 000007
【図６】
2006350961.tif 000008
【図７】
2006350961.tif 000009
【図８】
2006350961.tif 000010
【図９】
2006350961.tif 000011
【図１０】
2006350961.tif 000012